(57)【要約】【課題】キー開閉時の操作性が向上を図ること。【解決手段】把手部と、該把手部に基端部が支持軸を介して設けられかつ該把手部に収納された収納位置から突出して該把手部と略水平状態となる使用位置へと回転するキーとから成る携帯型鍵に於いて、把手部の一端部に機構収納部を形成し、この機構収納部にトルク機構を構成するカム部材と駆動バネを支持軸と共に組み込み、キーを指で起こしてあるいは引き出して使用位置まで回転させる途中で、トルク機構のトルクをカム部材の互いの凹凸カム面を介して反転させ、以後キーは、駆動バネのバネ力によって使用位置まで回転する携帯型鍵。【選択図】図２
2013014985.tif 000002
【特許請求の範囲】
【請求項１】
把手部と、該把手部に基端部が支持軸を介して設けられかつ該把手部に収納された収納位置から突出して該把手部と略水平状態となる使用位置へと回転するキーとから成る携帯型鍵に於いて、前記把手部の一端部に機構収納部を形成し、この機構収納部にトルク機構を構成するカム部材と駆動バネを前記支持軸と共に組み込み、前記キーを指で起こしてあるいは引き出して前記使用位置まで回転させる途中で、前記トルク機構のトルクを前記カム部材の互いの凹凸カム面を介して反転させ、以後前記キーは、前記駆動バネのバネ力によって使用位置まで回転する携帯型鍵。
【請求項２】
請求項１に於いて、機構収納部は、切欠部分或は収納空間のいずれかであり、該機構収納部に支持軸を架設し、該支持軸には、筒状ハウジングに内装された駆動バネを巻装すると共に、カム部材を構成する軸方向移動の可動カムと把手部に固定された固定カムは、それぞれ互いの凹凸カム面がかみ合った状態で外嵌していることを特徴とする携帯型鍵。
【請求項３】
請求項１に於いて、機構収納部は収納空間であり、該機構収納部に筒状ハウジングを固定的に組み込み、該筒状ハウジングに支持軸を設け、該支持軸には前記筒状ハウジングに内装された駆動バネを巻装すると共に、カム部材を構成する軸方向移動の可動カム及びキーの幅広基端部が固定された回転カムを外嵌し、前記カム部材の互いの凹凸カム面は圧接状態にかみ合っていることを特徴とする携帯型鍵。
【発明の詳細な説明】
【技術分野】
【０００１】
本発明は、建物の扉、家具、自動車等の開閉に使用することができる携帯型鍵に関する。
【背景技術】
【０００２】
特許文献１は、携帯機器の合鍵装備構造に関するものであるが、例えば該特許文献１の図１には、キー（マニュアルキー）１３を、本体ケース（把手部）１１の一端部に支持軸を介して回転自在に設け、キー不使用時、前記キーは、把手部１１の一側表面に形成された凹所（キー収納溝）２５に収納され、一方、キー使用時、キーは指先で前記凹所２５から引き出されて、把手部１１と略水平状態となる使用位置へと回される携帯型鍵が開示されている。
【０００３】
すなわち、特許文献１には、「把手部１１と、該把手部に基端部が支持軸を介して設けられ、かつ該把手部のキー収納溝２５に収納された収納位置から突出して該把手部と略水平状態となる使用位置へと回転するキー１３とから成る携帯型鍵１００」が記載されている（符号は公報記載のもの）。
【０００４】
この特許文献１は、出願人が貴庁に提案したものであるが、（ａ）キー１３を把手部１１に対して出没させる時、ナイフの如く、キーを回転範囲の全に亘って指先で回転させなければならない、（ｂ）キー収納位置及びキー使用位置の両方に於いて、キーが容易に動かないようにキーを保持することができない、という問題点があった。付言すると、キーと把手部は相対移動自在に組み合わせられているので、回転方式の実施形態の場合には、キー収納時にキー１３の差込み先端部がキー収納溝２５から食み出す恐れがあり、またキー使用時にキーが若干回転する場合がある。
【先行技術文献】
【特許文献】
【０００５】
【特許文献１】特開２００８−７５４２３号公報
【発明の概要】
【発明が解決しようとする課題】
【０００６】
そこで、本願発明の所期の目的は、従来の問題点に鑑み、キー開閉の操作性を向上させるために、キーを把手部に対して出没させる時、指で回転操作している途中に於いて、スナップアクション（駆動バネのバネ力）を効かせ、キー収納位置並びにキー使用位置へとキーを自動時に回転させることである。第２の目的は、トルク機構を構成するカム部材の互いの凹凸カム面を利用して、キー収納位置並びにキー使用位置の両方に於いて、キーが容易に動かないようにキーを保持することができることである。
【課題を解決するための手段】
【０００７】
本発明の携帯型鍵は、把手部と、該把手部に基端部が支持軸を介して設けられかつ該把手部に収納された収納位置から突出して該把手部と略水平状態となる使用位置へと回転するキーとから成る携帯型鍵に於いて、前記把手部の一端部に機構収納部を形成し、この機構収納部にトルク機構を構成するカム部材と駆動バネを前記支持軸と共に組み込み、前記キーを指で起こしてあるいは引き出して前記使用位置まで回転させる途中で、前記トルク機構のトルクを前記カム部材の互いの凹凸カム面を介して反転させ、以後前記キーは、前記駆動バネのバネ力によって使用位置まで回転することを特徴とする。
【発明の効果】
【０００８】
（ａ）キーは、その回転途中に於いて、トルク機構のトルクが反転するので、すなわち、キーにスナップアクション（駆動バネのバネ力）を効かせるので、キーを回転範囲の全に亘って指先で回転させる必要はない。したがって、キー開閉時の操作性が向上する。
（ｂ）駆動バネ及びカム部材の凸部（山）と凹部（谷）を利用することができるので、例えば使用位置にてキーがブラブラしないように保持させることができる。
（ｃ）その他、把手部の一端部に機構収納部を形成し、該機構収納部にトルク機構を構成するカム部材と駆動バネを支持軸と共に一連に組み込むだけなので、該機構収納部の空間を有効的に活用することができる。したがって、把手部のコンパクト化を図ることができる。
【図面の簡単な説明】
【０００９】
図１乃至図１１は本発明の第１実施形態を示す各説明図。図１２乃至図１６は本発明の第２実施形態を示す各説明図。
【図１】第１実施形態のキーが収納位置に収まっている状態の斜視図。
【図２】キーが使用位置まで回転した状態の斜視図。
【図３】蓋体をベース体から分離した状態（蓋体が合体する前、把持部を構成するベース体にユニット化されたキー及びトルク機構を構成する部材をセットした状態）の斜視図。
【図４】把持部を構成するベース体と、ユニット化されたキー及びトルク機構を構成する部材とを分離した状態の斜視図。
【図５】（ａ）は蓋体の概略断面説明図。（ｂ）はベース体の概略断面説明図。（ｃ）は図４のｃ−ｃ線概略断面図。
【図６】ユニット部材Ｙ（キー及びトルク機構）の説明図。
【図７】ユニット部材Ｙの分解斜視図。
【図８】トルク機構を構成する筒状ハウジングとキーとの組み合わせを示す概略断面説明図。
【図９】トルク機構を構成する部材の説明図。
【図１０】キーを指で起こした状態の説明図。
【図１１】キーの回転範囲内に於いて、可動カムの頂点が固定カムのそれに到達して、トルクが反転する流れを示す説明図。
【図１２】第２実施形態のキーが収納位置に収まっている状態の斜視図。
【図１３】キーが使用位置まで回転した状態の斜視図。
【図１４】分解斜視図。
【図１５】内部構造を示す概略断面説明図。
【図１６】キーを引き出す説明図（作用は図１１と同様）。
【発明を実施するための最良の形態】
【００１０】
図１乃至図１１を参照にして、第１実施形態の携帯型鍵Ｘを説明する。図に於いて、Ｘは携帯型鍵で、該携帯型鍵Ｘは、例えば特許文献１が存在するので、把手部１と、該把手部に基端部が支持軸３１に設けられかつ該把手部１のキー収納部（例えばキー収納溝）５に収納された収納位置から突出して該把手部１と略水平状態となる使用位置へと回転するキー２１とから成ることを前提とする。
【００１１】
図１はキー２１が収納位置に収まっている状態の斜視図で、一方、図２はキー２１が使用位置である略水平状態まで回転した状態の斜視図である。ここで「略水平状態」の「略」とは、おおよその意味であり、例えば180度＋αの回転角も含まれる。付言すると、キー２１が完全に開閉した際に、キー収納位置並びにキー使用位置の両方に於いて、キーが容易に動かないようにキーを保持するためのα角を180度に加味した場合も含まれる。
【００１２】
さて、図３は、把手部１が、ベース体２と、固定手段３を介して該ベース体２に重なるように合体する蓋体４とから成ることを示すと共に、蓋体４をベース体２から分離した状態の斜視図である。付言すると、本発明の携帯型鍵Ｘは、後述するキー２１と、トルク機構３０を構成する各部材が一つのユニット部材Ｙとなっている。
【００１３】
したがって、図３は、ユニット部材Ｙのキー２１及びトルク機構の構成部材３０が、ベース体２の一端部に形成された支持凹所或は切欠部６に組み込んだ（セットした）状態を示す斜視図である。この図３で示すように、ベース体２の支持凹所或は切欠部６にユニット部材Ｙを組み込んだ後、固定手段３（複数の固着具）を介して蓋体４がベース体２に固定される。この実施形態では、後述するカム部材を構成する固定カム３５及び支持軸３１の両端部が蓋体４の二股状一端部にカバーされる。これに対して、キー２１を構成する筒状キー保持体２３が切欠状の機構収納部１２に露呈状態でかつ回転可能に収納（セット）される。図４は把持部を構成するベース体２と、ユニット化されたキー２１及びトルク機構を構成する部材３０とを示している。
【００１４】
ここで、まず図５（ｂ）を基準にしてベース体２の構成を説明すると、２ａは把手部１の裏面に相当する一側背面、２ｂは該一側背面２ａとは反対側の合わせ面に相当する一側上面、２ｃはベース体２の長手方向の一端部（図面では右側）、２ｄは一端部とは反対側の他端部（図面では左側）である。６は前記一端部２ｃの中央部に形成した支持凹所或は切欠部で、この切欠部６は一側上面２ｂから一端部２ｃの側面にかけて弧状に形成されている。図５（ｃ）は、図４のｃ−ｃ線概略断面図である。この図５（ｃ）で示すように、一端部２ｃの左右端部には、半円状の軸受け７、７或は軸端収納部が一対形成されている。さらに、本実施形態では、半円状或は軸端収納部７の一方には、後述の固定カム３５の外周面がトラック形状の嵌合部が嵌合する支持凹所８が切欠部６に連設形成されている。
【００１５】
次に図５（ａ）を基準にして蓋体４の構成を説明すると、４ａはベース体２の一側上面２ｂに対して合わせ面となる一側下面、４ｂは把手部１の表面に相当する一側上面、４ｃは一端部、４ｄは他端部である。９は一端部４ｃの中央部に形成したユニット部材Ｙの基端部用ガイド切欠部、５は長尺状のキー収納溝である。キー収納溝５は他端部４ｄから前記ガイド切欠部９にかけて上下方向に形成されている。したがって、キー収納溝５は基端部用ガイド切欠部９（把手部１の切欠状の機構収納部１２）に連通している。
【００１６】
さらに、本実施形態では、前記キー収納溝５の他端部４ｄの端面は、キー２１を指先で容易に起こすことができるように切欠状或は傾斜面１０となっている。
【００１７】
その他、図５（ａ）、（ｂ）で示すように、ベース体２及び蓋体４の適宜箇所には、固定手段３用の穴（貫通穴とメネジ）１１が複数個形成されている。また、蓋体４にも半円状の軸受け７が形成されている。
【００１８】
例えば図４の状態からユニット部材Ｙの基端部に相当する筒状キー保持体２３の筒状部２３ａを切欠部６に、また固定カム３５を支持凹所８に、さらに支持軸３１の突出両端部を半円状の軸受け７、７に一緒にセットした後、蓋体４をベース体２に被せ、その後、固定手段３を穴１１に捩じ込むと、図２で示すように携帯型鍵Ｘが出来上がる。
【００１９】
本発明の携帯型鍵Ｘは、前述したように、把手部１と、該把手部に基端部が支持軸３１に設けられ、かつ該把手部１のキー収納溝５に収納された収納位置から突出して該把手部１と略水平状態となる使用位置へと回転するキー２１とから成ることを前提とする。そして、携帯型鍵Ｘは、把手部１の一端部に機構収納部（例えば切欠部分）１２を形成し、この機構収納部１２にトルク機構３０を構成するカム部材３３と駆動バネ３６を支持軸３１と共に組み込み、例えばキー２１を指で起こして使用位置まで回転させる途中で、前記トルク機構３０のトルクを前記カム部材３３の各凹凸カム面３４ａ、３５ａを介して反転させ、以後前記キー２１は、前記駆動バネ３６のバネ力によって使用位置まで回転する。
【００２０】
特に本実施形態の携帯型鍵Ｘのキーは、例えば図６、図７、図８で示すように、キー本体２２と、その基端部を固定的に支持する筒状キー保持体２３とから成り、一方、トルク機構（構成部材）３０は、支持軸３１に巻装された駆動バネ３６を内装する筒状ハウジング３２と、前記支持軸３１に外嵌するカム部材３３とを備え、前記筒状キー保持体２３は前記筒状ハウジング３２に一緒に回転することができるようにユニット化した状態で外嵌している。
【００２１】
そして、前記カム部材３３は、軸方向移動の第１カムとしての可動カム３４と、把手部１に固定された第２カムとしての固定カム３５とから成り、可動カム３４と固定カム３５の圧接面に相当する各凹凸カム面３４ａ、３５ａは、駆動バネ３６の弾発力が常時可動カム３４を固定カム３５に押し付ける方向に作用しているので、それぞれ互いにかみ合わった状態で圧接している。
【００２２】
そこで、図６、図７等で示すユニット部材Ｙの具体的構成について付言する。図６はユニット部材Ｙの説明図である。このユニット部材Ｙは、大きく区分けすると、図７で示すように、キー２１とトルク機構（構成部材）３０とから成る。
【００２３】
そして、前記キー２１は、長板状のキー本体２２と、該キー本体２２の幅広基端部２２ａを固定する筒状キー保持体２３とから成る。長板状キー本体２２は、幅広基端部２２ａと、該幅広基端部に連設する差込み部分２２ｂとを有する。
【００２４】
一方、筒状キー保持体２３は、図７及び図８で示すように、異径の嵌合孔２４を有する筒状部２３ａと、該筒状部の外周面の一部から半径外方向に突出する板状支持部２３ｂとから成り、前記板状支持部２３ｂにはキー本体３２の幅広基端部２２ａを緊嵌状態に支持する支持穴２５が形成されている。
【００２５】
そして、前記嵌合孔２４は、図８で示すように、例えば断面がトラック形状に形成され、該嵌合孔２４にトルク機構３０の筒状ハウジング３２が嵌入する。本実施形態では、筒状ハウジング３２の外周面は嵌合孔２４の内周面に対応しているから、両者２３、３２は一緒に回転する。付言すると、キー２１が回転すると、トルク機構３０の筒状ハウジング３２も同方向に回転する。
【００２６】
図９はトルク機構（構成部材）３０の説明図である。この図９で示すように、トルク機構３０は、外周面がトラック形状の筒状ハウジング３２と、該筒状ハウジングの内部空間を貫通する支持軸３１と、該支持軸に巻装された状態で前記筒状ハウジング３２に内装された駆動バネ３６と、この駆動バネにより常時付勢されかつ支持軸に外嵌する可動カム３４と、この凹凸カム面３４ａに対応する相手側の凹凸カム面３５ａが圧接すると共に、把手部１の支持凹所８に支持された状態で前記支持軸に外嵌する固定カム３５とから成る。
【００２７】
ところで、可動カム３４は、回転可能な筒状ハウジング３２内では、該筒状ハウジングに回り止めされた状態で保持され、かつ軸方向に移動可能である。また、単数又は複数個の駆動バネ３６は、筒状ハウジング３２の軸孔を有する一側内面と前記可動カム３４のバネ端支持部を有する側面との間に縮設されている。
【００２８】
また、固定カム３５は凹凸カム面３５ａを有するカム部と、該カム部に連設すると共に外周面が異径の軸受け部３５ｂとから成り、前記異径の軸受け部３５ｂはベース体２及び蓋体４の支持凹所８に嵌合状態で回転不能に支持されている。
【００２９】
さらに、圧接面に相当するカム部の凹凸カム面３４ａ、３５ａは、任意に設計変更することができる事項ではあるが、本実施形態では、図１０で示すように、キー２１を指で引き起こし、例えば筒状ハウジング３２が「20度」回転すると、図１１で示すように、可動カム３４の凹凸カム面３４ａの頂点（山）が、相手側の凹凸カム面３５ａの頂点（山）に到達し、これを乗り越えると、トルクが反転する（切り換る）。
【００３０】
そして、キー２１が把手部１のキー収納溝５に収納された収納位置から突出して該把手部１と略水平状態となる使用位置へと回転した際には、可動カム３４の凹凸カム面３４ａの頂点（山）が、相手側の凹凸カム面３５ａの谷或はその付近に到達する。
【００３１】
したがって、使用位置から収納位置へと戻す場合には、今度は筒状ハウジング３２を「１８０度」手動で回転させると、前述したように、可動カム３４の凹凸カム面３４ａの頂点（山）が、相手側の凹凸カム面３５ａの頂点（山）に到達し、これを乗り越えると、トルクが反転する（切り換る）。このように、本発明では、キー２１は、その回転途中に於いて、トルク機構３０のトルクが反転するので、すなわち、キー２１にスナップアクション（駆動バネ３６のバネ力）を効かせるので、キー２１を回転範囲の全に亘って指先で回転させる必要はない。
【実施例】
【００３２】
この欄では、第２実施形態について説明し、第１実施形態と同一の部分には同一の符号を付して重複する説明を省略する。図１２は携帯型鍵Ｘ１のユニット部材Ｙ１のキー２１が把手部１Ａに収納位置に収まっている状態の斜視図、一方、図１３は前記キー２１が使用位置まで回転した状態の斜視図である。
【００３３】
この第２実施形態が第１実施形態と主に異なる事項は、（ａ）把手部１Ａのベース体２に合体する蓋体４が、いわゆる弁当箱の如く外嵌合した状態で固定手段３を介して固定され、しかも、蓋体４の長手方向の一側壁１３の内面と、この内面に対向するベース体２の一側壁１４の外面との間に、ユニット部材Ｙ１のキー２１が出没できるキー収納部５Ａが形成されている点、（ｂ）蓋体４の一側壁１３の他端部４ｄ寄りの部位に下向きＵ字形状の切欠１０Ａが形成されている点、（ｃ）把手部１Ａの一端部４ｃ、２ｃの一側壁１３、１４側の端部に機構収納部（空間部分）１２Ａを形成し、該機構収納部１２Ａにユニット部材Ｙ１のトルク機構（トルク構成部材）３０Ａが組み込まれている点、（ｄ）トルク機構３０Ａは、図１５で示すように、機構収納部１２Ａに固定的に組み込まれた筒状ハウジング３２と、該筒状ハウジングの内部に架設するように設けた支持軸３１と、該支持軸に巻装された状態で前記筒状ハウジングに内装された駆動バネ３６と、該駆動バネに常時付勢された状態で前記支持軸３１に外嵌する第１カムとしての軸方向移動の可動カム３４と、この可動カム３４の凹凸カム面３４ａに圧接する凹凸カム面３５ａを有しかつ前記支持軸３１に外嵌する第２カムとしての回転カム３５とから成り、前記回転カム３５には複数の固着具１５を介してキー２１の幅広基端部が固定されている。
【００３４】
付言すると、第２実施形態の機構収納部１２Ａは、ベース体２と該ベース体に固定的に嵌合した弁当箱状の蓋体４とで形成された収納空間であり、該機構収納部１２Ａに筒状ハウジング３２を固定的に組み込み、該筒状ハウジング３２に支持軸３１を設け、該支持軸３１には前記筒状ハウジング３２に内装された駆動バネ３６を巻装すると共に、カム部材３３を構成する軸方向移動の可動カム３４及びキー２１の幅広基端部２２ａが直接固定された回転カム３５を外嵌し、前記カム部材３３の互いの凹凸カム面３４ａ、３５ａは圧接状態にかみ合っている。この第２実施形態の把手部１Ａのキー収納部５Ａは縦方向であり、キー２１は、いわゆるナイフの如くキー収納部５Ａから出没する。このように構成しても、第１実施形態と同様の効果を得ることができる。
【００３５】
なお、本実施形態では、キー収納部（例えばキー収納溝）５にキー２の差込み部分２２ｂが略収納されているが、発明の目的を逸脱しない範囲に於いて、その先端部が把手部１、１Ａから露出しても良い。
【００３６】
また、特許文献１の図５（ｂ）の実施形態の如く、キー収納部を断面Ｌ字形状に形成した場合には、キー２の差込み部分２２ｂの平坦一側面の全体が把手部１、１Ａから露出しても良い。
【産業上の利用可能性】
【００３７】
本発明は、建物の扉、家具、自動車等の開閉に使用することができる。
【符号の説明】
【００３８】
Ｘ、Ｘ１…携帯型鍵、Ｙ、Ｙ１…ユニット部材、１、１Ａ…把手部、２…ベース体、２ｃ、４ｃ…一端部、３…固定手段、４…蓋体、５、５Ａ…キー収納部、６…切欠部、７…軸受け或は軸端収納部、８…支持凹所、９…基端部用ガイド切欠部、１０…傾斜面（或は切欠１０Ａ）、１１…固着具用穴、１２…機構収納部、１５…固着具、２１…キー、２２…キー本体、２２ａ…幅広基端部、２２ｂ…差込み部分、２３…筒状キー保持体、２３ａ…筒状部、２３ｂ…板状支持部、２４…嵌合孔、２５…支持穴、３０、３０Ａ…トルク機構（トルク構成部材）、３１…支持軸、３２…筒状ハウジング、３３…カム部材、３４…可動カム（第１カム）、３５…固定カム、回転カム（第２カム）、３４ａ、３５ａ…凹凸カム面、３５ｂ…軸受け部、３６…駆動バネ。
【図１】
2013014985.tif 000003
【図２】
2013014985.tif 000004
【図３】
2013014985.tif 000005
【図４】
2013014985.tif 000006
【図５】
2013014985.tif 000007
【図６】
2013014985.tif 000008
【図７】
2013014985.tif 000009
【図８】
2013014985.tif 000010
【図９】
2013014985.tif 000011
【図１０】
2013014985.tif 000012
【図１１】
2013014985.tif 000013
【図１２】
2013014985.tif 000014
【図１３】
2013014985.tif 000015
【図１４】
2013014985.tif 000016
【図１５】
2013014985.tif 000017
【図１６】
2013014985.tif 000018